(57)【要約】【課題】開口部のシャッターのガタツキを抑制でき、開口部とシャッターとの隙間からプロジェクター内部に塵埃が侵入しにくいプロジェクターを提供する。【解決手段】プロジェクター１は、複数のレンズの相対位置を変更する調整部６１０を有し変調された光束を投写する投写光学装置６００と、投写光学装置６００を内部に収納し調整部６１０を露出させる調整用開口部２ａを有する外装ケース２と、外装ケース２の内側に設けられ調整用開口部２ａを閉塞可能なシャッター３と、外装ケース２との間にシャッター３を、調整用開口部２ａを閉塞する位置と調整用開口部２ａを開放する位置との間で移動可能に挟装し保持する保持部材４とを備え、シャッター３は、シャッター３を厚さ方向に付勢する付勢部３２を有することを特徴とする。【選択図】図２
2012068555.tif 000002
【特許請求の範囲】
【請求項１】
複数のレンズと前記複数のレンズの相対位置を変更する調整部とを有し、変調された光束を投写する投写光学装置と、
前記投写光学装置を内部に収納し、前記調整部を露出させる調整用開口部を有する外装ケースと、
前記外装ケースの内側に設けられ、前記調整用開口部を閉塞可能な第１の遮蔽部材と、
前記外装ケースとの間に前記第１の遮蔽部材を、前記調整用開口部を閉塞する位置と前記調整用開口部を開放する位置との間で移動可能に挟装し保持する保持部材と、を備え、
前記第１の遮蔽部材は、該第１の遮蔽部材を厚さ方向に付勢する付勢部を有することを特徴とするプロジェクター。
【請求項２】
請求項１に記載のプロジェクターであって、
前記付勢部は、前記第１の遮蔽部材の前記外装ケース側に付勢することを特徴とするプロジェクター。
【請求項３】
請求項１または２に記載のプロジェクターであって、
前記付勢部は、前記第１の遮蔽部材の４隅に設けられていることを特徴とするプロジェクター。
【請求項４】
請求項１〜３のいずれか一項に記載のプロジェクターであって、
前記外装ケースは、前記投写光学装置から射出される前記光束を通過させるための光束通過用開口部と、
前記外装ケースの内側に設けられ、前記光束通過用開口部を閉塞可能な第２の遮蔽部材と、をさらに備え、
前記第２の遮蔽部材は、該第２の遮蔽部材を厚さ方向に付勢する付勢部を有することを特徴とするプロジェクター。
【発明の詳細な説明】
【技術分野】
【０００１】
本発明は、プロジェクターに関する。
【背景技術】
【０００２】
投写レンズから射出された光束を通過させるための開口部、および投写レンズの調整部を露出するための開口部を備えたプロジェクターが知られている。また、防塵等を目的として、これらの開口部を閉塞するシャッター（遮蔽部材）を備えたプロジェクターが提案されている（例えば、特許文献１参照）。特許文献１に記載のプロジェクターでは、各開口部の長手方向に沿って形成された溝部にシャッターが嵌め込まれ、開口部を開放する位置と開口部を閉塞する位置との間を移動自在にシャッターが保持されている。
【先行技術文献】
【特許文献】
【０００３】
【特許文献１】特開２０１０−１２２２９０号公報
【発明の概要】
【発明が解決しようとする課題】
【０００４】
しかしながら、特許文献１に記載のプロジェクターでは、各シャッターが溝部をスライドして移動自在とするため、各シャッターと溝部との間にある程度の隙間を必要とする。そのため、この隙間に起因して、シャッターを操作する際にガタツキが生じて操作性が低下したり、プロジェクターの使用中の振動等によりシャッターがガタつくことで雑音が発生したりするという課題や、塵埃がプロジェクター内部に侵入してしまうという課題があった。
【課題を解決するための手段】
【０００５】
本発明は、上述の課題の少なくとも一部を解決するためになされたものであり、以下の形態または適用例として実現することが可能である。
【０００６】
［適用例１］本適用例に係るプロジェクターは、複数のレンズと前記複数のレンズの相対位置を変更する調整部とを有し、変調された光束を投写する投写光学装置と、前記投写光学装置を内部に収納し、前記調整部を露出させる調整用開口部を有する外装ケースと、前記外装ケースの内側に設けられ、前記調整用開口部を閉塞可能な第１の遮蔽部材と、前記外装ケースとの間に前記第１の遮蔽部材を、前記調整用開口部を閉塞する位置と前記調整用開口部を開放する位置との間で移動可能に挟装し保持する保持部材と、を備え、前記第１の遮蔽部材は、該第１の遮蔽部材を厚さ方向に付勢する付勢部を有することを特徴とする。
【０００７】
この構成によれば、外装ケースと保持部材との間に挟装され調整用開口部を閉塞する位置と開放する位置との間で移動可能に保持された第１の遮蔽部材は、第１の遮蔽部材の厚さ方向に付勢する付勢部を有している。第１の遮蔽部材を外装ケース側または保持部材側に押す付勢力が付与されることにより、第１の遮蔽部材のガタツキが抑制されるので、第１の遮蔽部材を操作する際の操作性の低下や、プロジェクターの使用中の振動等に伴う雑音の発生が抑えられる。
【０００８】
［適用例２］上記適用例に係るプロジェクターであって、前記付勢部は、前記第１の遮蔽部材の前記外装ケース側に付勢することが好ましい。
【０００９】
この構成によれば、付勢部が第１の遮蔽部材の外装ケース側に付勢するので、第１の遮蔽部材を外装ケース側、すなわち外装ケースと第１の遮蔽部材との隙間がより小さくなる方向に押す付勢力が付与される。これにより、外装ケースの調整用開口部が第１の遮蔽部材で閉塞された状態において、外装ケースと第１の遮蔽部材との隙間からの塵埃の侵入が抑えられる。
【００１０】
［適用例３］上記適用例に係るプロジェクターであって、前記付勢部は、前記第１の遮蔽部材の４隅に配置されていることが好ましい。
【００１１】
この構成によれば、第１の遮蔽部材の４隅に付勢部が配置されているので、第１の遮蔽部材の４隅において第１の遮蔽部材を外装ケース側または保持部材側に押す方向に付勢力が付与される。これにより、第１の遮蔽部材のガタツキがより効果的に抑制される。
【００１２】
［適用例４］上記適用例に係るプロジェクターであって、前記外装ケースは、前記投写光学装置から射出される前記光束を通過させるための光束通過用開口部と、前記外装ケースの内側に設けられ、前記光束通過用開口部を閉塞可能な第２の遮蔽部材と、をさらに備え、前記第２の遮蔽部材は、該第２の遮蔽部材を厚さ方向に付勢する付勢部を有することが好ましい。
【００１３】
この構成によれば、外装ケースの光束通過用開口部を閉塞可能な第２の遮蔽部材が、第１の遮蔽部材と同様に厚さ方向に付勢する付勢部を有している。このため、第２の遮蔽部材のガタツキが抑制されるので、第２の遮蔽部材を操作する際の操作性の低下や、プロジェクターの使用中の振動等による雑音の発生が抑えられる。
【図面の簡単な説明】
【００１４】
【図１】第１の実施形態に係るプロジェクターの概略構成を示す模式図。
【図２】第１の実施形態に係るプロジェクターを示す斜視図。
【図３】第１の実施形態に係るシャッターと保持部材とを示す斜視図。
【図４】第１の実施形態に係るシャッターの構成を説明する図。
【図５】第１の実施形態に係るプロジェクターの部分断面図。
【図６】第２の実施形態に係るシャッターの構成を説明する図。
【図７】第３の実施形態に係るプロジェクターの構成を説明する図。
【発明を実施するための形態】
【００１５】
以下に、本発明の一実施形態について図面を参照して説明する。なお、参照する各図面において、構成をわかりやすく示すため、各構成要素の寸法の比率、角度等は適宜異ならせてある。
【００１６】
（第１の実施形態）
＜プロジェクターの構成＞
まず、第１の実施形態に係るプロジェクターの概略構成について、図１を参照して説明する。図１は、第１の実施形態に係るプロジェクターの概略構成を示す模式図である。第１の実施形態に係るプロジェクター１は、光源から射出される光束を画像情報に応じて変調してスクリーン等の投写面に拡大投写する電子機器である。
【００１７】
なお、以下の図および説明では、投写光学装置６００から光束が投写される方向を＋Ｘ方向とし、光源装置１００から光束が射出される方向を＋Ｙ方向とする。さらに、Ｘ方向およびＹ方向に直交し、かつ、図２の図面視における上方向を＋Ｚ方向とする。すなわち、Ｘ，Ｙ，Ｚで示される各方向は、それぞれ互いに直交する。また、プロジェクター１において、＋Ｘ側（光束射出側）の面を正面と呼び、その反対側の面を背面と呼ぶ。そして、＋Ｚ側（据置き姿勢での上方側）の面を天面と呼び、その反対側の面を底面と呼ぶ。
【００１８】
図１に示すように、プロジェクター１は、外装ケース２と、光源装置１００と、照明光学装置２００と、色分離光学装置３００と、リレー光学装置４００と、光変調装置５００と、投写光学装置６００とを備えている。光源装置１００、照明光学装置２００、色分離光学装置３００、リレー光学装置４００、光変調装置５００、および投写光学装置６００は外装ケース２内に収納され固定されている。
【００１９】
また、図示を省略するが、プロジェクター１は、外装ケース２内における空間に、プロジェクター１内部を冷却するためのファン、プロジェクター１内部の各構成部材に電力を供給する電源装置、プロジェクター１内部の各構成部材を制御する制御装置、プロジェクター１の電源オン／オフや投写される画像の画質調整等のための操作部等をさらに備えている。
【００２０】
光源装置１００は、光束を射出する発光管１１０と、リフレクター１２０とを備えている。発光管１１０は、超高圧水銀ランプやメタルハライドランプ等からなる。光源装置１００は、発光管１１０から射出された光束をリフレクター１２０で反射させて射出方向を揃え、照明光学装置２００に向けて射出する。照明光軸ＯＣは、光源装置１００から被照明領域側に射出される光束の中心軸である。
【００２１】
照明光学装置２００は、第１のレンズアレイ２１０と、第２のレンズアレイ２２０と、偏光変換素子２３０と、重畳レンズ２４０とを備えている。照明光学装置２００は、光源装置１００から射出された光束を複数の部分光束に分割し、各部分光束を略１種類の偏光光に揃えて、照明対象である３つの液晶装置５２０Ｒ，５２０Ｇ，５２０Ｂの光入射面上に重畳させる。
【００２２】
色分離光学装置３００は、第１のダイクロイックミラー３１０と、第２のダイクロイックミラー３２０と、反射ミラー３３０とを備えている。色分離光学装置３００は、照明光学装置２００から射出された光束を、赤色（Ｒ）光、緑色（Ｇ）光、青色（Ｂ）光の３色の色光に分離する。
【００２３】
リレー光学装置４００は、入射側レンズ４１０と、リレーレンズ４２０と、反射ミラー４３０，４４０とを備えている。リレー光学装置４００は、色分離光学装置３００で分離されたＢ光をＢ光用の液晶装置５２０Ｂまで導く。なお、本実施形態では、リレー光学装置４００がＢ光を導く構成としているが、これに限定されず、例えば、Ｒ光を導く構成としてもよい。
【００２４】
光変調装置５００は、フィールドレンズ５１０Ｒ，５１０Ｇ，５１０Ｂと、入射側偏光板（図示省略）と、液晶装置５２０Ｒ，５２０Ｇ，５２０Ｂと、射出側偏光板（図示省略）と、クロスダイクロイックプリズム５３０とを備えている。入射側偏光板および射出側偏光板は、液晶装置５２０Ｒ，５２０Ｇ，５２０Ｂ毎に設けられている。
【００２５】
液晶装置５２０Ｒ，５２０Ｇ，５２０Ｂは、色分離光学装置３００で分離された各色光を画像情報に応じて変調する。クロスダイクロイックプリズム５３０は、４つの直角プリズムを貼り合わせた平面視略正方形状をなし、直角プリズム同士を貼り合わせた界面には、２つの誘電体多層膜が形成されている。クロスダイクロイックプリズム５３０は、液晶装置５２０Ｒ，５２０Ｇ，５２０Ｂにて変調された各色光を合成し、投写光学装置６００側に射出する。
【００２６】
投写光学装置６００は、複数のレンズと複数のレンズを内部に収納する筒状の鏡筒とで構成される（具体的な図示は省略）。投写光学装置６００は、光変調装置５００で変調され合成された光束をスクリーン等の投写面上に射出する。これにより、投写面上に画像が拡大投写される。
【００２７】
投写光学装置６００は、複数のレンズの相対位置を変更して投写面上に投写される画像のズーム状態やフォーカスを調整する調整部６１０を備えている（図２参照）。調整部６１０は、鏡筒の中心軸を中心として回転するリング６１０ａと、リング６１０ａを回転操作するための突起部６１０ｂとで構成される。ユーザーが突起部６１０ｂを把持してリング６１０ａを回転操作することにより、複数のレンズの相対位置が変更される。これにより、手動で画像のズーム状態やフォーカスを調整することができる。
【００２８】
＜外装ケースの構成＞
次に、第１の実施形態に係るプロジェクターの外装ケースの構成について、図２、図３、および図４を参照して説明する。
【００２９】
図２は、第１の実施形態に係るプロジェクターを示す斜視図である。詳しくは、図２（ａ）はシャッターが調整用開口部を開放する位置にある状態を示す斜視図であり、図２（ｂ）はシャッターが調整用開口部を閉塞する位置にある状態を示す斜視図である。図３は、第１の実施形態に係るシャッターと保持部材とを示す斜視図である。詳しくは、図３（ａ）はシャッターを保持部材から取り外した状態を示す斜視図であり、図３（ｂ）はシャッターが調整用開口部を開放する位置にある状態を示す斜視図であり、図３（ｃ）はシャッターが調整用開口部を閉塞する位置にある状態を示す斜視図である。また、図４は、第１の実施形態に係るシャッターの構成を説明する図である。詳しくは、図４（ａ）はシャッターの平面図であり、図４（ｂ）はシャッターの側面図である。
【００３０】
図２（ａ）に示すように、プロジェクター１は外装ケース２を備えている。外装ケース２は、例えば合成樹脂製の筐体である。なお、外装ケース２は、合成樹脂製に限定されず、その他の材料、例えば金属等により構成されていてもよい。外装ケース２は、天面に設けられた調整用開口部２ａと、正面に設けられた光束通過用開口部２ｂとを有している。また、外装ケース２の内側には、第１の遮蔽部材としてのシャッター３と、保持部材４とが取り付けられている。
【００３１】
調整用開口部２ａは、投写光学装置６００の調整部６１０を露出させるためのものであり、＋Ｚ側から見て、調整部６１０と重なるように設けられている。調整用開口部２ａ内には、保持部材４の斜面部４１と開口部４２とが配置されている。開口部４２は、ズーム状態やフォーカスを調整する際のリング６１０ａの所定の回転範囲において、突起部６１０ｂとリング６１０ａの一部とが露出するように設けられている。
【００３２】
シャッター３は、図２（ｂ）に示すように、プロジェクター１を使用しないときに、斜面部４１、開口部４２、および調整部６１０を覆って調整用開口部２ａを閉塞する。これにより、調整部６１０が保護されるとともに、調整用開口部２ａからプロジェクター１内部への塵埃等の侵入が抑えられる。また、プロジェクター１を使用しているときにおいても、シャッター３で調整用開口部２ａを閉塞することにより、塵埃等の侵入が抑えられ、さらにユーザーが不用意に調整部６１０を操作してしまうことが防止される。
【００３３】
光束通過用開口部２ｂは、投写光学装置６００から射出される光束を通過させるためのものであり、投写光学装置６００と対向するように設けられている。光束通過用開口部２ｂ内には、光束通過用開口部２ｂを閉塞するように、保持部材４のガラス部４５が配置されている。ガラス部４５は、光束通過用開口部２ｂよりも一回り大きい板状であり、投写光学装置６００から射出される光束を透過する。これにより、光束通過用開口部２ｂからプロジェクター１の内部への塵埃の侵入が抑えられるとともに、投写光学装置６００の先端部が保護される。
【００３４】
図３（ａ）に示すように、保持部材４は、外装ケース２の天面の内側（＋Ｚ側）に配置されＹ方向に沿って延在する天面部４ａと、外装ケース２の正面の内側（＋Ｘ側）に配置される正面部４ｂとが一体に形成されたものであり、＋Ｙ方向から見て略Ｌ字形状を有している。保持部材４は、外装ケース２の内側にネジ止め等により取り付けられている。シャッター３は、外装ケース２の天面の内側に、外装ケース２と保持部材４（天面部４ａ）との間に挟まれるように配置されている。
【００３５】
まず、図４（ａ），（ｂ）を参照して、シャッター３の構成を説明する。シャッター３は、板状の基体３０と、操作用の突起部３１と、付勢部３２と、係合凸部３３と、突条部３４と、凸部３５とを備えている。基体３０は、Ｘ方向とＹ方向とで構成され調整用開口部２ａを閉塞可能な略矩形の面を有している。突起部３１は、基体３０の＋Ｚ側かつ＋Ｙ側に設けられている。突起部３１は、ユーザーが把持してシャッター３をＹ方向に沿ってスライド操作するためのものである。
【００３６】
付勢部３２は、基体３０の＋Ｙ側のＸ方向における両端に一対設けられている。付勢部３２は、例えば、基体３０の＋Ｙ側の辺３ａから−Ｙ側に向かうスリット３２ｂを設けることにより形成されており、基体３０よりも薄く、先端部の−Ｚ側に凸形状を有するバネ部３２ａを有している。付勢部３２は、シャッター３の厚さ方向、より具体的には＋Ｚ側、すなわち外装ケース２側に撓むようになっている。
【００３７】
係合凸部３３は、基体３０の−Ｚ側かつ−Ｙ側に設けられている。係合凸部３３は、Ｘ方向に延在する円柱が略１／２に分割されたような形状を有している。係合凸部３３は、シャッター３が調整用開口部２ａを開放する位置において保持部材４の係合バネ部４３ａと係合し（図３（ｂ）参照）、シャッター３が調整用開口部２ａを閉塞する位置において保持部材４の係合バネ部４３ｂと係合する（図３（ｃ）参照）。これにより、シャッター３が、調整用開口部２ａを開放する位置および調整用開口部２ａを閉塞する位置のそれぞれに位置決めされる。
【００３８】
突条部３４は、基体３０の＋Ｘ側および−Ｘ側の両端縁部にＹ方向に略平行に設けられ、＋Ｚ側および−Ｚ側に各１対配置されている。突条部３４は、保持部材４（天面部４ａ）の溝部４４と、外装ケース２の天面の内側に設けられた溝部（図示省略）とにスライド可能に係合する。これにより、シャッター３は、調整用開口部２ａを開放する位置と調整用開口部２ａを閉塞する位置との間で、Ｙ方向に沿ってスライド移動可能に保持される。
【００３９】
凸部３５は、基体３０の＋Ｚ側において、付勢部３２の近くに１対設けられ、−Ｙ側におけるＸ方向両端側に１対設けられている。凸部３５は、半円状の形状を有しており、付勢部３２とともにシャッター３のガタツキを抑える役割を果たす。
【００４０】
続いて、図３（ａ）に戻って、保持部材４の構成を説明する。保持部材４の天面部４ａには、上述の斜面部４１と、開口部４２と、係合バネ部４３ａ，４３ｂと、溝部４４とが設けられている。係合バネ部４３ａ，４３ｂは、斜面部４１の−Ｙ側に互いに離間して設けられ、シャッター３が調整用開口部２ａを開放する位置と調整用開口部２ａを閉塞する位置とにそれぞれ対応して配置されている。係合バネ部４３ａ，４３ｂは、−Ｚ側に撓むようになっている。溝部４４は、＋Ｘ側および−Ｘ側の両端縁部にＹ方向に略平行に１対設けられている。また、保持部材４の正面部４ｂには、上述のガラス部４５が設けられている。
【００４１】
次に、第１の実施形態に係るプロジェクターにおいてシャッター３のガタツキを抑える構造について、図５を参照して説明する。図５は、第１の実施形態に係るプロジェクターの部分断面図である。詳しくは、図５（ａ）は図２（ｂ）におけるＡ−Ａ線に沿ったＢ部の部分断面図であり、図５（ｂ）は図２（ｂ）におけるＡ−Ａ線に沿ったＣ部の部分断面図である。なお、図５（ａ）では付勢部３２が撓んでいない状態における位置を破線で示し、図５（ｂ）では係合バネ部４３ｂがシャッター３と当接していない状態における位置を破線で示している。
【００４２】
図５（ａ）に示すように、シャッター３において、基体３０の−Ｚ側端部から凸部３５の先端までの距離は外装ケース２と天面部４ａ（保持部材４）との間の距離よりも小さく設定されており、破線で示すバネ部３２ａ（付勢部３２）の先端と凸部３５の先端とのＺ方向における距離は外装ケース２と天面部４ａとの間の距離よりもわずかに大きく設定されている。そのため、シャッター３が調整用開口部２ａを閉塞する位置にある状態において、付勢部３２は、バネ部３２ａが天面部４ａに当接することにより、基体３０に対して＋Ｚ側に撓む。そうすると、矢印で示すように、基体３０を＋Ｚ側、すなわち外装ケース２側に押す方向に付勢力が付与されるので、凸部３５が外装ケース２の内側に当接する。これにより、シャッター３のガタツキが抑制されるので、シャッター３を操作する際の操作性の低下や、プロジェクター１の使用中の振動等に伴う雑音の発生が抑えられる。
【００４３】
ここで、仮にシャッター３に付勢部３２が設けられていない場合は、シャッター３と外装ケース２および天面部４ａとの間に隙間ができるので、Ｚ方向にシャッター３のガタツキが発生することとなる。また、シャッター３が天面部４ａ側に寄るほど、シャッター３と外装ケース２との隙間が大きくなるので、調整用開口部２ａにおいてこの隙間から塵埃等がプロジェクター内部に侵入し易くなる。
【００４４】
これに対して、本実施形態のプロジェクター１では、付勢部３２を備えることにより、シャッター３の＋Ｙ側を外装ケース２側に押す方向、すなわちシャッター３と外装ケース２との隙間が小さくなる方向に付勢力が付与される。そのため、シャッター３のガタツキが抑制されるとともに、シャッター３と外装ケース２との隙間から塵埃等がプロジェクター１内部に侵入しにくくなる。これにより、プロジェクター１の防塵性を高めることができる。
【００４５】
また、図５（ｂ）に示すように、係合凸部３３が天面部４ａ（保持部材４）の係合バネ部４３ｂと係合することにより、シャッター３が調整用開口部２ａを閉塞する位置に位置決めされる。このとき、係合バネ部４３ｂは、係合凸部３３が当接することで−Ｚ側に撓む。そうすると、係合バネ部４３ｂの反発力により、矢印で示すように、シャッター３を外装ケース２側に押す方向に付勢力が付与される。したがって、シャッター３の−Ｙ側においても、ガタツキが抑制されるとともに、シャッター３と外装ケース２との隙間から塵埃等がプロジェクター１内部に侵入しにくくなる。
【００４６】
なお、図示は省略するが、シャッター３が調整用開口部２ａを開放する位置にある状態においても、シャッター３が調整用開口部２ａを閉塞する位置にある状態と同様に、シャッター３を外装ケース２側に押す方向に付勢力が付与されるので、シャッター３のガタツキが抑制される。
【００４７】
以上、第１の実施形態に係るプロジェクター１の構成によれば、以下の効果が得られる。
【００４８】
（１）外装ケース２と保持部材４との間に挟まれ調整用開口部２ａを閉塞する位置と開放する位置との間で移動可能に保持されたシャッター３が、外装ケース２側に撓む付勢部３２を有している。そのため、この付勢部３２が撓むことでその反発力により、シャッター３を外装ケース２側に押す付勢力が付与される。これにより、シャッター３のガタツキが抑制されるので、シャッター３を操作する際の操作性の低下や、プロジェクター１の使用中の振動等に伴う雑音の発生が抑えられる。
なお、付勢部３２がシャッター３の−Ｚ側、すなわち保持部材４側に撓む構成とすることも可能である。この場合でも、付勢部３２の反発力により、シャッター３を保持部材４側に押す付勢力が付与されるので、上記と同様に、シャッター３のガタツキを抑制することができる。
【００４９】
（２）シャッター３の外装ケース２側に撓む付勢部３２の反発力により、シャッター３を、外装ケース２とシャッター３との隙間がより小さくなる方向に押す付勢力が付与される。これにより、外装ケース２とシャッター３との隙間からの塵埃の侵入が抑えられる。
【００５０】
（第２の実施形態）
＜シャッターの構成＞
次に、第２の実施形態に係るプロジェクターのシャッターの構成について説明する。第２の実施形態に係るプロジェクターは、第１の実施形態に係るプロジェクター１に対して、シャッター３の代わりにシャッター１３を備えている点が異なっているが、その他の構成はほぼ同じである。したがって、第２の実施形態では、シャッター１３の構成を説明し、第１の実施形態と共通する構成要素についてはその説明を省略する。
【００５１】
また、第２の実施形態に係るシャッター１３は、第１の実施形態に係るシャッター３に対して、付勢部３２が４隅に設けられている点が異なっているが、その他の構成はほぼ同じである。シャッター１３の構成においても、シャッター３と共通する構成要素については、同一の符号を付しその説明を省略する。
【００５２】
図６は、第２の実施形態に係るシャッターの構成を説明する図である。詳しくは、図６（ａ）はシャッターを＋Ｚ側から見た平面図であり、図６（ｂ）はシャッターを＋Ｘ側から見た側面図である。
【００５３】
図６（ａ），（ｂ）に示すように、シャッター１３は、基体３０と、突起部３１と、付勢部３２と、係合凸部３３と、突条部３４と、凸部３５とを備えている。付勢部３２は、基体３０の＋Ｙ側のＸ方向両端に一対設けられ、基体３０の−Ｙ側のＸ方向両端にも一対設けられている。このように、付勢部３２が基体３０の４隅に設けられているので、シャッター１３の４隅において外装ケース２側に押す方向に付勢力が付与される。
【００５４】
第２の実施形態に係るシャッター１３の構成によれば、シャッター１３の４隅において外装ケース２側に押す方向に付勢力が付与されるので、第１の実施形態のシャッター３に比べて、ガタツキをより効果的に抑制でき、シャッター１３と外装ケース２との隙間から塵埃等がプロジェクター内部により侵入しにくくすることができる。
【００５５】
（第３の実施形態）
＜プロジェクターの構成＞
次に、第３の実施形態に係るプロジェクターの構成について説明する。第３の実施形態に係るプロジェクターは、第１の実施形態に係るプロジェクター１に対して、光束通過用開口部２ｂにもシャッターを備えている点が異なっているが、その他の構成はほぼ同じである。第１の実施形態と共通する構成要素については、同一の符号を付しその説明を省略する。
【００５６】
図７は、第３の実施形態に係るプロジェクターの構成を説明する図である。詳しくは、図７（ａ）は調整用開口部および光束通過用開口部がシャッターで閉塞された状態を示す斜視図であり、図７（ｂ）はシャッターと保持部材とを示す斜視図である。
【００５７】
図７（ａ）に示すように、第３の実施形態に係るプロジェクター１１は、調整用開口部２ａにシャッター３を備えており、さらに、光束通過用開口部２ｂに第２の遮蔽部材としてのシャッター６を備えている。また、図７（ｂ）に示すように、プロジェクター１１は、外装ケース２との間にシャッター３，６を挟むように設けられた保持部材１４を備えている。
【００５８】
シャッター６は、プロジェクター１１を使用しないときに、保持部材１４のガラス部４５を覆って光束通過用開口部２ｂを閉塞する。これにより、ガラス部４５を保護するとともに、ガラス部４５の表面に汚れや塵埃等が付着することを防止できる。
【００５９】
シャッター６は、板状の基体６０と、操作用の突起部６１と、付勢部６２と、係合凸部６３と、突条部６４と、凸部６５とを備えている。基体６０は、Ｚ方向とＹ方向とで構成され光束通過用開口部２ｂを閉塞可能な略矩形の面を有している。突起部６１は、基体６０の＋Ｘ側かつ＋Ｙ側に設けられている。
【００６０】
付勢部６２は、基体６０の＋Ｙ側のＺ方向における両端に一対設けられている。付勢部６２は、シャッター６の厚さ方向、より具体的には＋Ｘ側（外装ケース２側）に撓むようになっている。したがって、この付勢部６２が撓むことで、その反発力により、シャッター６を外装ケース２側に押す付勢力が付与される。
【００６１】
係合凸部６３は、基体６０の−Ｘ側かつ−Ｙ側に設けられている。係合凸部６３は、シャッター６が光束通過用開口部２ｂを開放する位置において保持部材１４の係合バネ部４６ａに当接し、シャッター６が光束通過用開口部２ｂを閉塞する位置において保持部材１４の係合バネ部４６ｂに当接する。これにより、シャッター６が、光束通過用開口部２ｂを開放する位置および光束通過用開口部２ｂを閉塞する位置のそれぞれに位置決めされる。
【００６２】
突条部６４は、基体６０の＋Ｚ側および−Ｚ側の両端縁部にＹ方向に略平行に設けられ、＋Ｘ側および−Ｘ側に各１対配置されている。突条部６４は、保持部材１４（正面部１４ｂ）の溝部４７と、外装ケース２の正面の内側に設けられた溝部（図示省略）とにスライド可能に係合する。これにより、シャッター６は、光束通過用開口部２ｂを開放する位置と光束通過用開口部２ｂを閉塞する位置との間で、Ｙ方向に沿ってスライド移動可能に保持される。
【００６３】
凸部６５は、基体６０の＋Ｘ側において、付勢部６２の近くに１対設けられ、−Ｙ側におけるＺ方向両端側に１対設けられている。凸部６５は、円柱が略１／２に分割されたような形状を有しており、付勢部６２とともにシャッター６のガタツキを抑える役割を果たす。
【００６４】
保持部材１４は、天面部１４ａと正面部１４ｂとが一体に形成されたものであり、＋Ｙ方向から見て略Ｌ字形状を有している。天面部１４ａは、第１の実施形態における保持部材４の天面部４ａと同様の構成を有している。正面部１４ｂには、ガラス部４５と、係合バネ部４６ａ，４６ｂと、溝部４７とが設けられている。係合バネ部４６ａ，４６ｂは、ガラス部４５の−Ｙ側に互いに離間して設けられ、シャッター６が光束通過用開口部２ｂを開放する位置と光束通過用開口部２ｂを閉塞する位置とにそれぞれ対応して配置されている。係合バネ部４６ａ，４６ｂは、−Ｘ側に撓むようになっている。溝部４７は、＋Ｚ側および−Ｚ側の両端縁部にＹ方向に略平行に１対設けられている。
【００６５】
第３の実施形態に係るプロジェクター１１の構成によれば、外装ケース２と保持部材１４との間に挟まれ光束通過用開口部２ｂを閉塞する位置と開放する位置との間で移動可能に保持されたシャッター６が、外装ケース２側に撓む付勢部６２を有している。そのため、この付勢部６２が撓むことで、その反発力により、シャッター６を外装ケース２側に押す付勢力が付与されシャッター６のガタツキが抑制されるので、シャッター６を操作する際の操作性の低下や、プロジェクター１１の使用中の振動等に伴う雑音の発生が抑えられる。
【００６６】
また、シャッター６の外装ケース２側に撓む付勢部６２の反発力により、シャッター６を、外装ケース２とシャッター６との隙間がより小さくなる方向に押す付勢力が付与される。これにより、外装ケース２の光束通過用開口部２ｂがシャッター６で閉塞された状態において、外装ケース２とシャッター６との隙間からの塵埃の侵入が抑えられる。
【００６７】
したがって、第３の実施形態に係るプロジェクター１１の構成によれば、第１の実施形態におけるプロジェクター１と同様の効果が得られることに加えて、光束通過用開口部２ｂを閉塞可能なシャッター６のガタツキが抑制されるとともに、外装ケース２とシャッター６との隙間からの塵埃の侵入が抑えられる。
【００６８】
なお、プロジェクター１１は、保持部材１４の正面部１４ｂにガラス部４５を備えた構成を有しているが、ガラス部４５を備えていない構成とすることも可能である。ガラス部４５を備えていない場合でも、プロジェクター１１は光束通過用開口部２ｂを閉塞可能なシャッター６を備えているので、プロジェクター１１を使用しないときに光束通過用開口部２ｂを閉塞して、プロジェクター１１の内部への塵埃の侵入を抑えるとともに、投写光学装置６００の先端部のレンズを保護できる。
【００６９】
以上、本発明のプロジェクターを上記の実施形態に基づいて説明したが、本発明はこれに限定されるものではなく、本発明の趣旨から逸脱しない範囲で様々な変形を加えることができる。変形例としては、例えば以下のようなものが考えられる。
【００７０】
（変形例１）
第３の実施形態におけるプロジェクター１１は、調整用開口部２ａに第１の実施形態のシャッター３を備え光束通過用開口部２ｂにシャッター６を備えた構成を有していたが、このような構成に限定されない。プロジェクター１１が調整用開口部２ａに第２の実施形態のシャッター１３を備えるとともに、光束通過用開口部２ｂに第２の実施形態のシャッター１３と同様に付勢部６２が基体６０の４隅に設けられたシャッターを備えた構成としてもよい。
【００７１】
このような構成にすれば、第３の実施形態のプロジェクター１１に比べて、調整用開口部２ａおよび光束通過用開口部２ｂの双方において、シャッターのガタツキをより効果的に抑制でき、外装ケース２との隙間から塵埃等がプロジェクター１１内部により侵入しにくくすることができる。
【００７２】
（変形例２）
上記実施形態におけるプロジェクターは、光を透過し光束入射面と光束射出面とが異なる透過型の液晶装置５２０を備えた透過型のプロジェクターであるが、本発明はこれに限定されるものではない。プロジェクターは、光を反射し光束入射面と光束射出面とが同一となる反射型の液晶装置を備えた反射型のプロジェクターであってもよい。反射型のプロジェクターに本発明を適用した場合にも、透過型のプロジェクターと同様の効果を得ることができる。  
【００７３】
（変形例３）
上記実施形態におけるプロジェクターは光変調装置に３つの液晶装置５２０を用いたプロジェクターであるが、本発明はこれに限定されるものではない。本発明は、例えば、１つ、２つまたは４つ以上の液晶装置を用いたプロジェクターにも適用することができる。
【００７４】
（変形例４）
上記実施形態のプロジェクターの構成では、光変調装置に液晶装置５２０を用いているが、本発明はこれに限定されるものではない。光変調装置としては、一般に、画像情報に応じて入射光を変調するものであればよく、マイクロミラー型光変調装置等を利用してもよい。マイクロミラー型光変調装置としては、例えば、ＤＭＤ（デジタルマイクロミラーデバイス）（ＴＩ社の商標）を用いることができる。
【符号の説明】
【００７５】
１，１１…プロジェクター、２…外装ケース、２ａ…調整用開口部、２ｂ…光束通過用開口部、３…第１の遮蔽部材としてのシャッター、４…保持部材、６…第２の遮蔽部材としてのシャッター、３２，６２…付勢部、６００…投写光学装置、６１０…調整部。
【図１】
2012068555.tif 000003
【図２】
2012068555.tif 000004
【図３】
2012068555.tif 000005
【図４】
2012068555.tif 000006
【図５】
2012068555.tif 000007
【図６】
2012068555.tif 000008
【図７】
2012068555.tif 000009